(57)【要約】      （修正有）【課題】衛生的で安全に取り扱うことができる爪楊枝具とこれを備えた割り箸セットを提供する。【解決手段】爪楊枝１０の外周に包装シート２０が巻回され、前記包装シート２０に運勢を含む情報が付されている。【選択図】図１
2007015718.tif 000002
【特許請求の範囲】
【請求項１】
爪楊枝（つまようじ）の外周に包装シートが巻回され、前記包装シートに運勢を含む情報が付されている爪楊枝具。
【請求項２】
請求項１において、前記包装シートに、さらに、広告またはクーポンに関する情報を含む販売促進情報が付されている爪楊枝。
【請求項３】
請求項１または２に記載の爪楊枝具が割り箸とともに箸袋に収納されている割り箸セット。
【発明の詳細な説明】
【技術分野】
【０００１】
本発明は、包装紙で包んだ爪楊枝（つまようじ）具およびこれを備えた割り箸セットに関する。
【背景技術】
【０００２】
従来、弁当などに添付される割り箸は爪楊枝付きで、図５のように、紙またはプラスチック製の箸袋６に割り箸５と爪楊枝１とがそれぞれ裸で収容され、箸袋６の開口がシール部６ａにより封止されている。このような爪楊枝付き割り箸において、箸袋６から割り箸５を取り出すとき、箸袋６を手で切り裂いて割り箸５と爪楊枝１とを取り出す。このとき、爪楊枝１は割り箸５に比べて小さく、箸袋６の中で移動して収納されている位置がわかりにくいため、爪楊枝１が箸袋６から落下して不衛生になったり、爪楊枝１の鋭利な先端１ａに触って手に痛みを感じることがある。多数の爪楊枝のみを専用の容器に入れて使用する場合も、やはり、落として不衛生になったり、店員が容器に爪楊枝を入れる際に手に痛みを感じる場合がある。
【０００３】
これに対し、爪楊枝１を個別の袋に包装したり、箸袋６に爪楊枝１を収納する部分を区画して設けるものが考えられている（特許文献１）。しかしながら、爪楊枝１を割り箸５と個別に包装したり、収納する場合でも、やはり袋を切り裂いて開封するため、爪楊枝１の鋭利な先端１ａが手に触れることがある。
【特許文献１】特開２００２−１４５３７０号公報
【発明の開示】
【発明が解決しようとする課題】
【０００４】
そこで、本発明は、衛生的で安全に取り扱うことができる爪楊枝具とこれを備えた割り箸セットを提供することを目的としている。
【課題を解決するための手段】
【０００５】
上記目的を達成するために、本発明に係る爪楊枝具は、爪楊枝の外周に包装シートが巻回され、前記包装シートに運勢を含む情報が付されている。
【０００６】
前記構成によれば、爪楊枝の鋭利な先端が外周に巻回された包装シートによって保護されるから、爪楊枝を落下させても不衛生にならない。また、爪楊枝の先端に触って痛みを感じることがない。さらに、巻き解いた包装シートに付された運勢を読んで参考にすることができるので、食事の楽しみが増す。
【０００７】
本発明の好ましい実施形態では、前記包装シートに、さらに、広告またはクーポンに関する情報を含む販売促進情報が付されている。この構成によれば、包装シートを利用して販売の促進を図ることができる。
【０００８】
本発明の好ましい実施形態では、割り箸セットとして、前記爪楊枝具が割り箸とともに箸袋に収納されている。この構成によれば、爪楊枝の鋭利な先端が外周に巻回された包装シートによって保護されるから、箸袋に割り箸とともに収納しても、開封時に爪楊枝が落下して不衛生になったり、爪楊枝の鋭利な先端に触って手に痛みを感じることがない。また、爪楊枝の先端で箸袋に孔を開けるおそれもない。
【発明の効果】
【０００９】
本発明の爪楊枝具によれば、爪楊枝の鋭利な先端が外周に巻回された包装シートによって保護されるから、爪楊枝を落下させても不衛生にならない。また、爪楊枝の先端に触って痛みを感じることがない。さらに、巻き解いた包装に付された運勢を読んで参考にすることができるので、食事の楽しみが増す。
【発明を実施するための最良の形態】
【００１０】
以下、本発明の実施形態について、図面を参照しながら説明する。
図１において、爪楊枝１０の外周が長尺の包装シート２０によって包装されて爪楊枝具４０が作成されている。この爪楊枝具４０は、図２のように、爪楊枝１０に、爪楊枝１０の両端が隠れるように、爪楊枝１０の長さよりも若干大きい幅を持つ長尺の包装シート２０が巻回されたものである。このような包装シート２０の巻き付けは、機械により行われる。図１のように、包装シート２０の巻き終わりである端２１は、テープ３０で固定される。テープ３０以外に、糊または接着剤によって固定してもよい。このように包装された爪楊枝具４０は、巻回された包装シート２０の端２１を開いて巻き解いて爪楊枝１０を取り出すから、包装シート２０を切り裂く必要がなく、不用意に鋭利な先端１０ａを触って手に痛みを感じるおそれがない。
【００１１】
包装シート２０において、爪楊枝１０を巻き込む内面２０ａに、図３のように、運勢の占い７０と、広告８０ａおよびクーポン８０ｂを含む販売促進情報８０とが印刷により付されている。このような情報は、包装シート２０の外面に付すこともできる。運勢の占い７０は、例えば漢字に基づく運勢の占いである。図３の場合、「和」の漢字に基づく運勢の占い結果が記載されている。ほかに、「喜、誘、書、愛、健、笑、風、戦、清、新、成、…。」のような漢字を用いて、例えば４０通り程度の多くの運勢の占い結果を用意し、引く度に内容が重複しないようにする。また、運勢の占いの種類は、漢字運勢の占いのほかに、色に基づく運勢の占い（色占い）、食物に基づく運勢の占いなど様々なものを使用できる。
【００１２】
販売促進情報８０のうち、広告８０ａとして、図３のように、例えば店の名前、電話番号を付すことが考えられる。また、新製品の情報やサービスデーの情報を付してもよい。クーポン８０ｂは、図３のように、例えば、「１０枚でランチ１食を無料提供」というようなサービス券とすることが考えられる。また、包装シート２０にミシン目２２を設けてクーポン部分８０ｂを切り離せるようにしてもよい。
【００１３】
図４のように、包装された爪楊枝４０は、箸５０とともに箸袋６０に収納され、箸袋６０の開口がシール部６０ａにより封止されて、割り箸セット９０が作成される。
【００１４】
上記構成の爪楊枝具４０によれば、図１に示す爪楊枝１０の鋭利な先端１０ａが外周に巻回された包装シート２０によって保護されるから、爪楊枝１０を落下させても不衛生にならない。また、爪楊枝１０の先端１０ａに触って痛みを感じることがない。さらに、巻き解いた包装シート２０に付された運勢を読んで参考にすることができるので、食事の楽しみが増す。
【００１５】
また、包装シート２０に、広告８０ａまたはクーポン８０ｂに関する情報を含む販売促進情報８０が付される場合、包装シート２０を利用して販売の促進を図ることができる。
【００１６】
さらに、割り箸セット９０として、爪楊枝具４０が割り箸５０とともに箸袋６０に収納される場合、爪楊枝１０の鋭利な先端１０ａが外周に巻回された包装シート２０によって保護されるから、箸袋６０に割り箸５０とともに収納しても、開封時に爪楊枝１０が落下して不衛生になったり、爪楊枝１０の鋭利な先端１０ａに触って手に痛みを感じることがない。また、爪楊枝１０の先端１０ａで箸袋５０に孔を開けるおそれもない。
【００１７】
なお、爪楊枝具４０は割り箸セット９０として利用するほかに、単独で従来の爪楊枝容器に多数本を入れて店のテーブル上に置くこともできる。その場合でも、爪楊枝１０の衛生を確保し、痛感を防ぎ、包装シート２０に付された運勢を読んで参考にできる効果がある。
【図面の簡単な説明】
【００１８】
【図１】本発明の一実施形態に係る爪楊枝具の斜視図である。
【図２】同爪楊枝の包装を開いた状態を示す展開図である。
【図３】同爪楊枝の包装に付された情報を示す図である。
【図４】同爪楊枝が箸とともに箸袋に収納された内部の状態を示す正面図である。
【図５】従来の爪楊枝が箸とともに箸袋に収納された内部の状態を示す正面図である。
【符号の説明】
【００１９】
１０  爪楊枝
２０  包装シート
４０  爪楊枝具
７０  運勢の占い情報
８０  販売促進情報
９０  割り箸セット
【図１】
2007015718.tif 000003
【図２】
2007015718.tif 000004
【図３】
2007015718.tif 000005
【図４】
2007015718.tif 000006
【図５】
2007015718.tif 000007